(57)【要約】【課題】使用者の利便性を損なうことなく、多機能画像形成装置の設置面積を小型化すること。【解決手段】画像情報を記録用紙に印刷して出力する画像記録装置と、前期画像記録装置の上部に配置され、原稿用紙の画像情報を読み取る画像読み取り装置と、前記画像読み取り装置に対して開閉自在に配設され、前記原稿用紙を前記画像読み取り装置に対して押圧して固定する原稿押圧板と、前記画像読み取り装置に複数の原稿用紙を連続的に給紙する原稿自動給紙装置と、前記画像読み取り装置の上部に可動に配設され、前記画像記録装置から出力された印刷済記録用紙を収納する記録用紙排紙部と、を有し、前記記録用紙排紙部は、前記原稿押圧板の開閉運動を妨げない位置まで移動可能な可動範囲を有することを特徴とする。【選択図】図１
2005221648.tif 000002
【特許請求の範囲】
【請求項１】
画像情報を記録用紙に印刷して出力する画像記録装置と、前期画像記録装置の上部に配置され、原稿用紙の画像情報を読み取る画像読み取り装置と、前記画像読み取り装置に対して開閉自在に配設され、前記原稿用紙を前記画像読み取り装置に対して押圧して固定する原稿押圧板と、前記画像読み取り装置に複数の原稿用紙を連続的に給紙する原稿自動給紙装置と、前記画像読み取り装置の上部に可動に配設され、前記画像記録装置から出力された印刷済記録用紙を収納する記録用紙排紙部と、を有し、前記記録用紙排紙部は、前記原稿押圧板の開閉運動を妨げない位置まで移動可能な可動範囲を有することを特徴とする多機能画像形成装置。
【請求項２】
画像情報を記録用紙に印刷して出力する画像記録装置と、前期画像記録装置の上部に配置され、原稿用紙の画像情報を読み取る画像読み取り装置と、前記原稿用紙を前記画像読み取り装置に対して押圧して固定する原稿押圧板と、前記原稿押圧板と一体に構成され、前記画像読み取り装置に複数の原稿用紙を連続的に給紙する原稿自動給紙装置と、前記原稿押圧板を前記画像読み取り装置に開閉自在に支持する第１の回動支点と、前記画像読み取り装置の上部に配置され、前記画像記録装置から出力された印刷済記録用紙を収納する記録用紙排紙部と、前記記録用紙排紙部を前記画像記録装置に開閉自在に支持する第２の回動支点と、を有することを特徴とする多機能画像形成装置。
【請求項３】
前記第２の回動支点による回動運動の方向は、前記第１の回動支点による回転運動の方向に対して直角の方向であることを特徴とする請求項２記載の多機能画像形成装置。
【請求項４】
前記第２の回動支点は、前記第１の回動支点よりも装置の上部に配設されることを特徴とする請求項２記載の多機能画像形成装置。
【請求項５】
前記記録用紙排紙部の開閉状態を検知する記録用紙排紙部開閉センサと、前記画像読み取り装置が読み取った画像データを一時的に保存する画像データ保存装置と、を有することを特徴とする請求項２又は３記載の多機能画像形成装置。
【請求項６】
前記画像読み取り装置を前記画像記録装置に開閉自在に支持する第３の回動支点を有することを特徴とする請求項２又は３記載の多機能画像形成装置。
【発明の詳細な説明】
【技術分野】
【０００１】
本発明は、画像記録装置部と原稿読み取り装置部とから一体的に構成され、且つ、多くの機能（例えば、コピー、プリンタ、スキャナ、ファクシミリ機能）を持つことが可能な多機能画像形成装置に関するものである。
【背景技術】
【０００２】
近年、記録用紙上に画像を形成するプリンタ等の画像記録装置、画像情報を読み取るためのイメージスキャナ等の画像読み取り装置、原稿用紙を連続的に画像読み取り装置に給紙するオートドキュメントフィーダ（以下、ＡＤＦと略記する）等の原稿自動給紙装置、画像が形成された記録用紙をステイプルするためのステイプルスタッカ等の後処理装置等を一体的に構成した多機能画像形成装置が開発されている。
【０００３】
このような多機能画像形成装置は、複合機或はマルチファンクションプリンタ（以下、ＭＦＰと略記する）と呼称され、1 台でプリンタ、複写機、スキャナ、ファクシミリ等の機能を有する。
【０００４】
一般的にＭＦＰは、それぞれの機能を持つ機器を別々に（例えば、プリンタとスキャナとファクシミリを）購入して設置するのに比べ、以下のようなメリットがある。
（ａ）購入に必要なコストが安い
（ｂ）機器間の統合性が高い
（ｃ）設置に必要なスペースが小さい
これらのメリットは市場において強く支持されており、様々な形態のＭＦＰが開発・販売されている。
【０００５】
図６に従来の多機能画像形成装置の一例の外観図を示す（例えば、特許文献１参照）。
【０００６】
図中、６０１は多機能画像形成装置たるＭＦＰ、６０２は原稿自動給紙装置たるＡＤＦ、６０３はＡＤＦ回動支点、６０４は画像記録装置たるレーザビームプリンタ（以下、ＬＢＰと略記）、６０５は画像読み取り装置たるイメージスキャナ、６０６は原稿給紙トレイ、６０７は記録用紙廃止トレイ、６０８は原稿ガラス、６０９は原稿給紙トレイ、６１０は原稿廃止トレイ、６１１は原稿押圧板、６１２は操作パネルである。
【０００７】
ＭＦＰ６０１は、デスクトップ（机等の上）に設置して使用することを前提とした、比較的小型のものである。
【０００８】
ＡＤＦ６０２はＡＤＦ回動支点６０３を中心に回動する。
【０００９】
図６（ａ）はＡＤＦ６０２が閉じている状態を、図６（ｂ）はＡＤＦ６０２が開いている状態を示す。
【００１０】
ＬＢＰ６０４は、パソコン等の外部装置（不図示）から送られた画像信号を基に、記録用紙上に画像を形成する他、イメージスキャナ６０５が読み込んだ原稿を基に、記録用紙上に画像を形成する（複写する）ことができる。
【００１１】
記録用紙は、記録用紙給紙デッキ６０６から供給され、画像が形成された記録用紙は、記録用紙排紙トレイ６０７に排紙される。
【００１２】
イメージスキャナ６０５は、原稿ガラス６０８上に置かれた原稿から画像を読み取ることができ、又、ＡＤＦ６０２の機能によって、原稿給紙トレイ６０９に置かれた複数枚の原稿を連続的に読み取ることができる。このとき、読み取りが完了した原稿は、原稿排紙トレイ６１０に排紙される。
【００１３】
ＡＤＦ６０２の下面には原稿押圧板６１１が配されており、原稿ガラス６０８上に原稿が置かれた時には、ＡＤＦ６０２を閉めることで、原稿が原稿ガラス６０８に圧接される。
【００１４】
６１２は操作バネルであり、ＭＦＰ６０１のステータス等を表示する表示パネルと、各種操作スイッチを有している。
【００１５】
使用者は、原稿が普通紙であれば、原稿ガラス６０８上に原稿を置くよりも、ＡＤＦ６０２を利用することが多い。
【００１６】
しかし、例えば厚紙や冊子状の原稿等、ＡＤＦ６０２が給紙できない原稿を読み込ませる時には、直接原稿ガラス６０８上に原稿を置く必要がある。
【００１７】
【特許文献１】特開２００１−１５６９９８号公報
【発明の開示】
【発明が解決しようとする課題】
【００１８】
例えば、ＬＢＰ単体であれば、装置の上面に記録用紙を排出することができる。
【００１９】
しかしながら、上記のように、ＬＢＰの上部にイメージスキャナを配置し、更にイメージスキャナの上部にＡＤＦを配置した多機能画像形成装置においては、排紙トレイが装置本体の側面若しくは背面に配置されるので、設置面積が排紙トレイの分だけ大きくなってしまうという問題がある。
【００２０】
又、画像が形成された記録用紙を装置本体の側面若しくは背面にそのまま排紙すると、フェイスアップ（画像の印刷された面が上になる向き）で排紙トレイに積載される。
【００２１】
複数のページが順番に印刷された場合、フェイスアップで積載された記録用紙は印刷の順番と逆になるので、使用者がページ順に並べ直す必要があった。
【００２２】
記録用紙を印刷の順に並べるためには、フェイスダウン（画像の印刷された面が下向き）で排紙する必要があるが、これを達成するために記録用紙反転機構を設けると、装置が更に大型化してしまうという問題がある。
【００２３】
これらの問題を解決するために、特に床置きの装置においては、排紙部の上部にややスペースを空けてイメージスキャナを配置する形態が採られる。
【００２４】
図７を参照して前記の形態を説明する。
【００２５】
図７は従来の多機能画像形成装置の一例（外観図）である。
【００２６】
図中、７０１は多機能画像形成装置たる複合機、７０２は記録用紙排紙トレイ、７０３はイメージスキャナ、７０４はＡＤＦ、７０５は原稿給紙トレイ、７０６は原稿排紙トレイ、７０７は操作パネル、７０８は記録用紙給紙デッキである。
【００２７】
図７に示した形態では、記録用紙排紙トレイ７０２が装置本体の設置面積内からはみだすことがないので、図６に示した形態に比べ設置面積を小さくできる。
【００２８】
又、記録用紙を上下反転させてフェイスダウンで積載できる。
【００２９】
しかし、このような形態は、床置きの大型の機械が前提となっており、デスクトップに置いて使用する比較的小型の機械において、図７のように排紙部の上部にややスペースを空けてイメージスキャナを配置すると、イメージスキャナの位置が高くなり、使用者の利便性の観点から好ましくない。
【００３０】
使用者がイメージスキャナに原稿を載せるときには、原稿の位置合わせを行う必要があり、又、冊子上の原稿を連続して読み取るとき等には、頻繁に原稿押圧板を開閉するので、イメージスキャナが使用者の目線より高い位置にあると非常に不便である。
【００３１】
更に、イメージスキャナの位置が高いと、ユーザが操作パネルを操作しにくくなる。
【００３２】
本発明は、以上のような問題点に鑑みてなされたものであり、その目的とする処は、使用者の利便性を損なうことなく、多機能画像形成装置の設置面積を小型化することにある。
【課題を解決するための手段】
【００３３】
上記目的を達成するため、請求項１記載の発明は、画像情報を記録用紙に印刷して出力する画像記録装置と、前期画像記録装置の上部に配置され、原稿用紙の画像情報を読み取る画像読み取り装置と、前記画像読み取り装置に対して開閉自在に配設され、前記原稿用紙を前記画像読み取り装置に対して押圧して固定する原稿押圧板と、前記画像読み取り装置に複数の原稿用紙を連続的に給紙する原稿自動給紙装置と、前記画像読み取り装置の上部に可動に配設され、前記画像記録装置から出力された印刷済記録用紙を収納する記録用紙排紙部と、を有し、前記記録用紙排紙部は、前記原稿押圧板の開閉運動を妨げない位置まで移動可能な可動範囲を有することを特徴とする。
【００３４】
請求項２記載の発明は、画像情報を記録用紙に印刷して出力する画像記録装置と、前期画像記録装置の上部に配置され、原稿用紙の画像情報を読み取る画像読み取り装置と、前記原稿用紙を前記画像読み取り装置に対して押圧して固定する原稿押圧板と、前記原稿押圧板と一体に構成され、前記画像読み取り装置に複数の原稿用紙を連続的に給紙する原稿自動給紙装置と、前記原稿押圧板を前記画像読み取り装置に開閉自在に支持する第１の回動支点と、前記画像読み取り装置の上部に配置され、前記画像記録装置から出力された印刷済記録用紙を収納する記録用紙排紙部と、前記記録用紙排紙部を前記画像記録装置に開閉自在に支持する第２の回動支点と、を有することを特徴とする。
【００３５】
請求項３記載の発明は、請求項２記載の発明において、前記第２の回動支点による回動運動の方向は、前記第１の回動支点による回転運動の方向に対して直角の方向であることを特徴とする。
【００３６】
請求項４記載の発明は、請求項２記載の発明において、前記第２の回動支点は、前記第１の回動支点よりも装置の上部に配設されることを特徴とする。
【００３７】
請求項５記載の発明は、請求項２又は３記載の発明において、前記記録用紙排紙部の開閉状態を検知する記録用紙排紙部開閉センサと、前記画像読み取り装置が読み取った画像データを一時的に保存する画像データ保存装置と、を有することを特徴とする。
【００３８】
請求項６記載の発明は、請求項２又は３記載の発明において、前記画像読み取り装置を前記画像記録装置に開閉自在に支持する第３の回動支点を有することを特徴とする。
【発明の効果】
【００３９】
本発明によれば、使用者の利便性を損なわずに、設置に必要な面積を小型化した多機能画像形成装置を提供することができる。
【００４０】
又、記録用紙排紙部が装置本体の設置領域内に含まれるので、設置面積が小さくなる。
【発明を実施するための最良の形態】
【００４１】
以下に本発明の実施の形態を添付図面に基づいて説明する。
【００４２】
尚、各図面において、同一の符号は同一の構成を示している。
【００４３】
＜実施の形態１＞
先ず、図１〜図３を参照して実施の形態１を説明する。
【００４４】
図１は本実施の形態に係るＭＦＰの外観図、図２は同ＭＦＰの投影図、図３は同ＭＦＰの内部の説明図である。
【００４５】
先ず、図１及び図２を参照してＭＦＰの外観を説明する。
【００４６】
図１において、１０１は本発明に係る多機能画像形成装置たるＭＦＰである。１０２はＬＢＰ、１０３はイメージスキャナ、１０４は記録用紙給紙デッキ、１０５は記録用紙排紙トレイ、１０６はカバー、１０７はサイドカバー、１０８は原稿ガラス、１０９はＡＤＦ、１１０は第１の回動支点、１１１は原稿押圧板、１１２は記録用紙排紙部、１１３は第２の回動支点、１１４は右サイドドアである。
【００４７】
図２において、２０１は原稿給紙トレイ、２０２は原稿排紙トレイである。
【００４８】
図１はＡＤＦ１０９及び記録用紙排紙部１１２が開いているときを示し、図２はＡＤＦ１０９及び記録用紙排紙部１１２が閉じているときを示している。
【００４９】
ＭＦＰ１０１は、パソコン等の外部装置（不図示）から送られた画像信号を基に、記録用紙上に画像を形成する他、イメージスキャナ１０３が読み込んだ原稿を基に、記録用紙上に画像を形成する（複写する）ことができる。
【００５０】
記録用紙は、記録用紙給紙デッキ１０４から供給され、画像が形成された記録用紙は、記録用紙排紙トレイ１０５に排紙される。記録用紙排紙トレイ１０５には、記録用紙が落下しないようにカバー１０６と、サイドカバー１０７が付設されている。
【００５１】
イメージスキャナ１０３は、原稿ガラス１０８上に置かれた原稿から画像を読み取ることができる他、ＡＤＦ１０９の機能によって、原稿給紙トレイ２０１に置かれた複数枚の原稿を連続的に読み取ることができる。この時、読み取りが完了した原稿は、原稿排紙トレイ２０２に排紙される。
【００５２】
ＡＤＦ１０９は、第１の回動支点１１０によって、イメージスキャナ１０３に対して開閉可能に支持されている。
【００５３】
使用者が原稿ガラス１０８上に原稿を置くときには、ＡＤＦ１０９を開いて原稿を置き、その後ＡＤＦ１０９を閉める。
【００５４】
ＡＤＦ１０９の下面には原稿押圧板１１１が配されており、ＡＤＦ１０９を閉めることで、原稿が原稿ガラス１０８に圧接される。
【００５５】
一方、記録用紙排紙トレイ１０５、カバー１０６、サイドカバー１０７から構成される記録用紙排紙部１１２は、第２の回動支点１１３によって、装置本体に対して開閉可能に支持されている。
【００５６】
記録用紙排紙部１１２の可動範囲は、原稿給紙トレイ２０１が装置本体に対してほぼ水平になる位置（図２に記載の位置）から、装置本体に対してほぼ垂直になる位置（図１に記載の位置）に及ぶ。
【００５７】
通常、記録用紙排紙部１１２は閉じており（装置本体に対して水平）、ＡＤＦ１０９を開く時に記録用紙排紙部１１２を開く。
【００５８】
記録用紙排紙部１１２を閉じた状態でも、原稿給紙トレイ２０１を用いて、ＡＤＦ１０９は使用可能である。
【００５９】
操作パネル１１３は、表示パネルと複数の操作ボタン（何れも不図示）を有しており、ＭＦＰ１０１は、使用者が任意の操作ボタンを押すことで、複写等の動作を開始する。
【００６０】
右サイドドア１１４は、後述するプロセスカートリッジを交換するときや、本体内のジャム（記録用紙の滞留）を除去する時に矢印ａの方向に開く。
【００６１】
次に、図３を参照してＭＦＰ１０１をより詳細に説明する。
【００６２】
図３はＭＦＰ１０１を装置前面から見た内部の説明図である。
【００６３】
図３において、３０１はデッキ用紙有無センサ、３０２は用紙サイズ検知センサ、３０３はピックアップローラ、３０４はデッキ給送ローラ、３０５はリタードローラ、３０６は給送センサ、３０７は給送搬送ローラ、３０８はレジストローラ対、３０９はレジ前センサ、３１０はレーザスキャナ部、３１１は感光体ドラム、３１２はプロセスカートリッジ、３１３は帯電ローラ、３１４は現像器、３１５は転写ローラ、３１６は除電針、３１７は搬送ガイド、３１８はハロゲンヒータ、３１９は定着ローラ、３２０は加圧ローラ、３２１は定着排紙センサ、３２２は両面フラッパ、３２３及び３２４は排紙センサ、３２５，３２６，３２７は排紙搬送ローラ対、３２８は安全弁、３２９は排紙部開閉センサ、３３０は反転ローラ対、３３１は反転センサ、３３２はＤカットローラ、３３３は両面センサ、３３４は両面搬送ローラ対、３３５は外部装置、３３６はレーザユニット、３３７はポリゴンミラー、３３８はスキャナモータ、３３９は結像レンズ群、３４０は折り返しミラー、３４１は高圧電源部、３４２はメインモータ、３４３はプリンタ制御部、３４４はハードディスク、３４５はインターフェイス、３４６は光源、３４７は第１ミラー、３４８は第２ミラー、３４９は第３ミラー、３５０はレンズユニット、３５１はＣＣＤ、３５２は白基準板、３５３は第１光学ユニット、３５４は第２光学ユニット、３５５はＡＤＦオープン検知センサ、３５６はマイラ、３５７は原稿有無検知センサ、３５８は給紙ローラ、３５９はレジローラ、３６０は先端検知センサ、３６１は搬送ローラ、３６２は原稿ローラ、３６３は支持ユニット、３６４は排紙ローラ、Ｐは記録シート、Ｑは原稿、Ｓは記録シートＰの搬送経路である。
【００６４】
説明の都合上、ＭＦＰ１０１をＬＢＰ１０２、イメージスキャナ１０３、ＡＤＦ１０９の３つの部分に分けて、順番に説明する。
【００６５】
ＬＢＰ１０２は、記録用紙Ｐを収納する記録用紙給紙デッキ１０４を有すると共に、この記録用紙給紙デッキ１０４内の記録用紙Ｐの有無を検出するデッキ用紙有無センサ３０１、記録用紙給紙デッキ１０４内の記録用紙Ｐのサイズを検知する用紙サイズ検知センサ３０２、記録用紙給紙デッキ１０４から記録用紙Ｐを繰り出すピックアップローラ３０３、該ピックアップローラ３０３によって繰り出された記録用紙Ｐを搬送するデッキ給送ローラ３０４、該デッキ給送ローラ３０４と対を成し、記録用紙Ｐの重送を防止するためのリタードローラ３０５を備えている。
【００６６】
そして、デッキ給送ローラ３０４の用紙搬送方向下流側（以下、単に「下流」と言う）には、給送搬送状態を検出する給送センサ３０６、更に下流へと記録用紙Ｐを搬送するための給送搬送ローラ３０７、記録用紙Ｐを画像形成動作と同期して搬送するレジストローラ対３０８、該レジストローラ対３０８への記録用紙Ｐの搬送状態を検出するレジ前センサ３０９が配設されている。
【００６７】
又、レジストローラ対３０８の下流には、後述するレーザスキャナ部３１０からのレーザ光に基づいて感光体ドラム３１１上にトナー像を形成する画像形成手段を構成するプロセスカートリッジ３１２が装置本体に対して着脱可能に装着されている。
【００６８】
このプロセスカートリッジ３１２は、回転可能な感光体ドラム３１１と、その周囲に帯電ローラ３１３及び現像器３１４、更には図示しないクリーニング器が設けられており、画像形成に際しては帯電ローラ３１３によって感光体ドラム３１１の表面を一様に帯電するとともに、レーザスキャナ部３１０から選択的な露光を行うことで潜像を形成し、その潜像を現像器３１４によってトナー現像して可視像化する。
【００６９】
そして、転写ローラ３１５に転写バイアス電圧を印加することで、搬送されてきた記録用紙Ｐに前記トナー像を転写して画像を形成する。
【００７０】
転写ローラ３１５の下流には、記録用紙Ｐ上の電荷を除去し感光体ドラム３１１からの分離を促進するための除電針３１６が、更に、除電針３１６の下流には搬送ガイド３１７が配設されている。
【００７１】
搬送ガイド３１７の下流には、内部に加熱用のハロゲンヒータ３１８を備えた定着ローラ３１９と、定着ローラ３１９と対になる加圧ローラ３２０が配設されており、記録用紙Ｐ上に転写されたトナー像を熱と圧力によって記録用紙Ｐに定着させる。
【００７２】
その下流には定着部からの搬送状態を検知する定着排紙センサ３２１、定着部から搬送されてきた記録用紙Ｐの行き先を切り替えるための両面フラッパ３２２が配されている。
【００７３】
両面フラッパ３２２は、記録用紙Ｐの行き先を、排紙部か両面反転部のどちらかに切り替える。
【００７４】
排紙部側の下流には排紙部の紙搬送状態を検知する排紙センサ３２３及び３２４、記録紙を排紙するための排紙搬送ローラ対、３２５，３２６，３２７が配設されている。
【００７５】
印刷が終了した記録用紙Ｐは、記録用紙排紙トレイ１０５にフェイスダウンで排出され、積載される。記録用紙排紙トレイ１０５は、前述のように、第２の回動支点１１３によって開閉する。このとき、記録用紙排紙トレイ１０５に積載された記録用紙Ｐが排紙口に入らないように、安全弁３２８が配設されている。排紙部開閉センサ３２９は、記録用紙排紙部１１２の開閉状態を検知する。
【００７６】
一方、記録用紙Ｐの両面に印刷するために片面印刷終了後の記録用紙Ｐを表裏反転させ、再度画像形成部へと給紙するための両面反転部側には、正逆転によって記録用紙Ｐをスイッチバックさせる反転ローラ対３３０、反転ローラ対３３０への紙搬送状態を検知する反転センサ３３１、記録用紙Ｐの横方向位置を合わせるための横方向レジスト部（不図示）から記録用紙Ｐを搬送するためのＤカットローラ３３２、両面反転部での記録用紙Ｐの搬送状態を検知する両面センサ３３３、両面反転部から給紙部へと記録用紙Ｐを搬送するための両面搬送ローラ対３３４が配設されている。
【００７７】
又、前記レーザスキャナ部３１０には、後述する外部装置３３５から送出される画像信号や、イメージスキャナ１０３が読み取った画像信号に基づいて変調されたレーザ光を発光するレーザユニット３３６、レーザユニット３３６からのレーザ光を感光体ドラム３１１上に走査するためのポリゴンミラー３３７とスキャナモータ３３８、結像レンズ群３３９、及び折り返しミラー３４０により構成されている。
【００７８】
図中、３４１は高圧電源部であり、帯電ローラ３１３の他、現像器３１４、転写ローラ３１５、除電針３１６に所望の電圧を給電する高圧回路を有している。
【００７９】
３４２はメインモータで、各部に動力を供給している。
【００８０】
更に、３４３はＭＦＰ１０１を制御するプリンタ制御部であり、ＲＡＭ、ＲＯＭ、タイマ、デジタル入出力ポート（以下、Ｉ／Ｏポートと記す）、デジタル−アナログ出力ポート（以下、Ｄ／Ａポートと記す）、アナログ−デジタル変換入力ポート（以下、Ａ／Ｄポートと記す）等を具備したＭＰＵ（マイクロコンピュータ）及び各種入出力制御回路等で構成されている。
【００８１】
３４４はハードディスクであり、外部装置３３５から送出される画像信号や、イメージスキャナ１０３が読み取った画像信号を一時的に保存する。
【００８２】
前記プリンタ制御部３４３はインターフェイス３４５を介してパーソナルコンピュータ等の外部装置３３５に接続されている。
【００８３】
次に、イメージスキャナ１０３について説明する。
【００８４】
イメージスキャナ１０３は原稿Ｑの画像データを読み取るが、その方法には、原稿ガラス１０８上に置かれた原稿Ｑを読み取る方法と、ＡＤＦ１０９によって複数の原稿を連続的に読み取る方法がある。
【００８５】
以下、原稿ガラス１０８上に置かれた原稿Ｑを読み取る手順を説明する。
【００８６】
３４６は原稿に光を照射するための光源である。光源３４６で原稿に照射された反射光Ｌは、第１ミラー３４７、第２ミラー３４８、第３ミラー３４９で反射され、レンズユニット３５０によって集光されて、光電変換素子であるＣＣＤ３５１に結像される。
【００８７】
結像された画像の光情報は、ＣＣＤ３５１によって電圧に変換され、更にアナログ信号からデジタル信号に変換された後、シェーディング補正、黒レベル補正、ガンマ補正等の一連の補正処理が施される。
【００８８】
又、電源投入時や画像読み取り直前等の所定のタイミングで白基準板３５２を読み込むことで、Ａ／Ｄコンバータ（不図示）オフセット／ゲイン調整及び光源３４６の故障を検出している。
【００８９】
本例の読み取り光学系は１対１／２光学系と呼称される構成である。
【００９０】
この構成は、光源３４６と第１ミラー３４７を含んだ第１光学ユニット３５３、第２ミラー３４８と第３ミラー３４９を含んだ第２光学ユニット３５４を移動ユニットとし、レンズユニット３５０とＣＣＤ３５１を固定した構成である。
【００９１】
第１光学ユニット３５３と第２光学ユニット３５４は、図中矢印の示す方向に移動速度の比が１対１／２で移動する。
【００９２】
このような速度比で構成することにより、読み取り位置からＣＣＤまでの光路の長さは常に一定となる。
【００９３】
第１光学ユニット３５３と第２光学ユニット３５４は、所定幅の画像を読み取ることができる１次元の読み取りユニットである。
【００９４】
これらが前述のように１対１／２の速度で移動しながら読み取った１次元の画像を繋ぎ合わせることで、原稿全体の２次元画像として読み取る。
【００９５】
原稿全体の画像を読み取った後は、そのデータを基に画像を複写するか、或は外部装置３３５にデータを転送する。
【００９６】
尚、３５５はＡＤＦ１０９が開かれているかどうかを検知するためのＡＤＦオープン検知センサである。
【００９７】
以上説明したように、写真や厚紙のような折り曲げられない画像、本等の冊子状の画像、或は高画質に読み取りたい画像等は、一般的に原稿ガラス１０８の上に載置して画像を読み取る。
【００９８】
一方、原稿が複数枚に渡る時等は、ＡＤＦ１０９を使用し、一括して画像を読み取る方法が行われる。
【００９９】
以下、ＡＤＦ１０９を利用した原稿の読み取りの手順を説明する。
【０１００】
ＡＤＦ１０９を利用して原稿を読み取る時には、第１光学ユニット３５３は、マイラ３５６を読み取る位置で静止している。マイラ３５６は透明であり、その上部を通過する原稿の画像を読み取ることができる。
【０１０１】
２０１は原稿Ｑを積載するための原稿給紙トレイであり、読み取る画像の面を上向きにして、原稿Ｑを積載する。
【０１０２】
３５７は原稿トレイ２０１上の原稿Ｑの有り無しを検知するための原稿有無検知センサであり、フォトインタラプタとメカフラグを用いて、その状態を検知するように構成している。
【０１０３】
原稿Ｑが原稿トレイ２０１上に積載された状態で読み取り開始が実行されると、給紙ローラ３５８がソレノイドによって１回転のみ駆動するように構成され、原稿Ｑを１枚だけＡＤＦ１０９の搬送路内に搬入する。
【０１０４】
搬入された原稿Ｑは、レジローラ３５９によって一定のループが形成され、先端検知センサ３６０により、ＡＤＦ１０９内部に搬送された原稿Ｑの先端が検知される。
【０１０５】
ＡＤＦ１０９内に搬入された原稿Ｑは更に搬送ローラ３６１と原稿ローラ３６２、又、支持ユニット３６３と原稿ローラ３６２に狭持されながら原稿ローラ３６２の円周に沿ってＡＤＦ１０９内部に送り込まれ、原稿Ｑがマイラ３５６に到達するタイミングで画像の読み取りを開始する。このタイミングは先端検知センサ３６０が原稿の先端を検知してから所定時間を経過したことをもって判断する。
【０１０６】
先端から画像を読み取られた原稿Ｑは、排紙ローラ３６４によって排紙トレイ２０２上に排紙され、１枚目の原稿の読み取りが終了する。
【０１０７】
２枚目以降の原稿は、先端検知センサ３６０が原稿Ｑの先端を検知してから所定時間後にソレノイドを駆動して、ＡＤＦ１０９内に搬入する。
【０１０８】
以上述べた制御は原稿有無センサ３５７が原稿トレイ２０１上の原稿Ｑを検知しなくなるまで継続する。
【０１０９】
又、先端検知センサ３６０が原稿Ｑの先端を検知してから所定時間経過しても検知結果に変化がなければ、ジャムとして処理するように制御している。
【０１１０】
本例におけるＭＦＰ１０１は、以上のようにしてプリンタ、コピー機、スキャナの機能を実現する。
【０１１１】
使用者が原稿Ｑを原稿ガラス１０８の上に置く時には、第２の回動支点１１３によって記録用紙排紙部１１２が開き、ＡＤＦ１０９の開放を妨げない位置まで移動する。
【０１１２】
記録用紙排紙部１１２の開閉状態は排紙部開閉センサ３２９によって検知されるが、プリンタ制御部３４３は、記録用紙排紙部１１２が開いているときには、ＭＦＰ１０１が印刷を行わないように制御するとともに、操作パネル１１３上の表示パネルにその旨を表示して、使用者に通知する。
【０１１３】
使用者が冊子状の原稿の複数のページを複写する時等は、イメージスキャナ１０３に原稿を読み込ませるためにＡＤＦ１０９を頻繁に開閉させる、或はＡＤＦ１０９を開いたまま、原稿を手で押さえて読み込ませることが想定される。このような場合、イメージスキャナ１０３が読み取った画像データは、ハードディスク３４４に保存され、プリンタ制御部３４３が記録用紙排紙部１１２が閉じたことを検知したときに印刷が開始される。
【０１１４】
以上のような構成にすることで、ＭＦＰ１０１の記録用紙排紙部１１２は、装置本体の設置面積内に含まれるので、従来に比べ設置面積が小型化できる。
【０１１５】
又、イメージスキャナ１０３の高さが必要以上に高くならないので、使用者が原稿ガラス１０８の上に原稿Ｑを置くときや、ＡＤＦ１０９に原稿Ｑをセットするときの位置合わせが容易になる。
【０１１６】
一方、排紙部１１２は従来に比べ高い位置に配設されるが、使用者は排紙部１１２に積載された記録用紙Ｐを取るだけなので、これは使用者の利便性を損なわない。
【０１１７】
尚、本例においては記録用紙排紙部１１２が装置側面方向に、ＡＤＦ１０９が装置後方に開閉する構成であるが、記録用紙排紙部１１２が装置後方に、ＡＤＦ１０９が装置側面方向に開閉する構成にしても良い。
【０１１８】
＜実施の形態２＞
次に、本発明の実施の形態２を図４及び図５に基づいて説明する。
【０１１９】
図４は実施の形態に係るＭＦＰの外観図、図５は同ＭＦＰの投影図である。
【０１２０】
図４において、４０１は本発明に係る多機能画像形成装置たるＭＦＰである。
【０１２１】
４０２はＬＢＰ、４０３はイメージスキャナ、４０４は記録用紙給紙デッキ、４０５は記録用紙排紙トレイ、４０６はカバー、４０７はサイドカバー、４０８はＡＤＦ、４０９は第１の回動支点、４１０は記録用紙排紙部、４１１は第２の回動支点、４１２は第３の回動支点、４１３はＬＢＰ上部カバーである。
【０１２２】
図５において、５０１は原稿給紙トレイ、５０２は原稿排紙トレイ、５０３は表示パネルである。
【０１２３】
図４はイメージスキャナ４０３及び記録用紙排紙部４１０が開いている時を示し、図５はイメージスキャナ４０３及び記録用紙排紙部４１０が閉じている時を示している。
【０１２４】
本実施の形態２におけるＭＦＰ４０１は、実施の形態１におけるＭＦＰ１０１に対して新たに第３の回転軸４１２を設け、更に、右サイドドア１１４を廃してＬＢＰ上部カバー４１３を設けたものである。
【０１２５】
ＭＦＰ４０１は、実施の形態１におけるＭＦＰ１０１と同様にして、プリンタ、複写機、スキャナ等の機能を実現する。
【０１２６】
記録用紙排紙部４１０は、第２の回動支点４１１によって装置側面方向に開閉し、記録用紙排紙部４１０を開くことで、ＡＤＦ４０８を開くことができるのは、実施の形態１と同様である。
【０１２７】
イメージスキャナ４０３は、第３の回動支点４１２によって、ＬＢＰ４０２に対して開閉可能に支持されている。イメージスキャナ４０３の開閉可能範囲は、装置本体に対してほぼ垂直（図４に示す位置）である。
【０１２８】
図４に示すように、記録用紙排紙部４１０を開くことで、イメージスキャナ４０３を開くことが可能になる。このとき、ＡＤＦ４０８は図示しない止め具によって、イメージスキャナ４０３に固定される。
【０１２９】
使用者は、プロセスカートリッジを交換するときや、ＬＢＰ４０２内のジャムを取り除く時にＬＢＰ上部カバー４１３を開く。
【０１３０】
ＬＢＰ上部カバー４１３を設けることで、実施の形態１における右サイドドア１１４を廃することができる。
【０１３１】
ＬＢＰ上部カバー４１３は、イメージスキャナ４０３が開いている時に、図中ｂの方向に開くことができる。
【０１３２】
実施の形態１のＭＦＰでは、装置右側に、右サイドドア１１４を開くためのスペースを確保する必要があった。
【０１３３】
しかし、右サイドドア１１４を廃してＬＢＰ上部カバー４１３を設けることで、このスペースを確保する必要がなくなり、実質的な設置面積が節約できる。
【０１３４】
更に、上記の構成ではプロセスカートリッジを斜め上方向からＬＢＰ４０２に挿入することができ、ＭＦＰ１０１のようにプロセスカートリッジを真横方向から挿入するよりも、よりコンパクトな内部構成を採ることができる。
【０１３５】
以上のように、第３の回動支点４１２とＬＢＰ上部カバー４１３を設けることで、より設置面積を小型化できる。
【０１３６】
尚、イメージスキャナ４０３がＬＢＰ上部カバー４１３を兼ねる構成、つまり、イメージスキャナ４０３を開いた時に、ＬＢＰ４０２内部が直接アクセス可能な状態になる構成にすることも可能である。
【０１３７】
このような構成にすることで、カートリッジの交換やジャムを取り除く作業を行うときに、使用者がＬＢＰ上部カバー４１３を開く動作をする必要がなくなる。
【産業上の利用可能性】
【０１３８】
本発明は、画像記録装置部と原稿読み取り装置部とで一体に構成され、且つ、多くの機能（例えば、コピー、プリンタ、スキャナ、ファクシリ機能）を備える多機能画像形成装置に対して適用可能である。
【図面の簡単な説明】
【０１３９】
【図１】本発明の実施の形態１に係るＭＦＰの外観図である。
【図２】本発明の実施の形態１に係るＭＦＰの投影図である。
【図３】本発明の実施の形態１に係るＭＦＰの内部の説明図である。
【図４】本発明の実施の形態２に係るＭＦＰの外観図である。
【図５】本発明の実施の形態２に係るＭＦＰの投影図である。
【図６】従来の多機能画像形成装置の一例（外観図）である。
【図７】従来の多機能画像形成装置の一例（外観図）である。
【符号の説明】
【０１４０】
１０１    ＭＦＰ
１０２    ＬＢＰ
１０３    イメージスキャナ
１０９    ＡＤＦ
１１０    第１の回動支点
１１１    原稿押圧板
１１２    記録用紙排紙部
１１３    第２の回動支点
１１４    右サイドドア  
３２９    排紙部開閉センサ
３４３    プリンタ制御部
３４４    ハードディスク
３５５    ＡＤＦオープン検知センサ
４１２    第３の回動支点
４１３    ＬＢＰ上部カバー
【図１】
2005221648.tif 000003
【図２】
2005221648.tif 000004
【図３】
2005221648.tif 000005
【図４】
2005221648.tif 000006
【図５】
2005221648.tif 000007
【図６】
2005221648.tif 000008
【図７】
2005221648.tif 000009